(57)【要約】【課題】従来、カメラを組み立てた後に動作チェックを行なって、スピーカーから音が出ないという問題が生じ、再度組みなおす等の問題や、発光体からの導光のために別部材の窓を設けていたため、部品点数が増え組み立て工数も増えるという問題があった。【解決手段】電気的接続のためにリード線を固着された電気素子を、その直下または近傍に配置された実装基板上のコネクタに接続された状態で、該電気素子を把持する把持部材をコネクタを覆うように配置する電気素子固着状態において、前記電気素子を把持する把持部材を透明部材で形成した。【選択図】図１
2007201594.tif 000002
【特許請求の範囲】
【請求項１】
電気的接続のためにリード線を固着された電気素子を、その直下または近傍に配置された実装基板上のコネクタに接続された状態で、該電気素子を把持する把持部材をコネクタを覆うように配置する電気素子固着状態において、前記電気素子を把持する把持部材を透明部材で形成したことを特徴とする電気機器。
【請求項２】
請求項１記載の電気機器において、前記電気素子はスピーカーであることを特徴とする電気機器。
【請求項３】
電気的接続のためにリード線を固着された電気素子をその直下または近傍に配置された実装基板上のコネクタに接続された状態で、該電気素子を把持する把持部材をコネクタを覆うように配置する電気素子固着状態において、前記電気素子を把持する把持部材を光透過性部材で形成し、その一部を外観側へ露出せしめ、かつ前記光透過性部材の直下またはその近傍に発光体を配置し、前記把持部材の一部または全部および露出部を導光部として使用することを特徴とするカメラ。
【発明の詳細な説明】
【技術分野】
【０００１】
本発明は、実装部品の保持方法に関するものである。特にカメラ音源であるところのスピーカーの保持に係る技術である処の電気機器およびカメラに関する。
【背景技術】
【０００２】
従来、この種の実装部品の保持方法では、保持部材を主構造部材であるシャーシにビス止め固着して使用することが多かった。この際、保持部材の直下またはその近傍にあるコネクタに電気的に接続する方法をとることが多かった。また、実装部品とコネクタの接続の多くはリード線を使用しているため、前記ビス止め固着されるときにリード線を挟み込んでしまい、リード線を圧縮することによる断線事故が後を絶たなかった。
【０００３】
また、構成部品を透明にしたものとしては、透明スピーカーを表示部と透明操作部との間に配置するもの（例えば、下記特許文献１参照。）や、透明スピーカー使用時の空気抜き穴の構成（例えば、下記特許文献２参照。）が開示されている。
【特許文献１】特開２００２−２８１５７８号公報
【特許文献２】特開２００２−２８１５８０号公報
【発明の開示】
【発明が解決しようとする課題】
【０００４】
しかしながら、上記従来例では、保持部材が黒色をしているため、前記挟み込んだリード線やフレキシブル配線基板を組み付け後に確認することが困難だった。
【０００５】
また、発光体からの導光のために別部材の窓を設けていたため、部品点数が増え組み立て工数も増えるという問題があった。
【０００６】
上述の問題点を鑑み、本発明の電気機器およびカメラの目的とするところを以下に示す。
【０００７】
本出願に係る第１の発明の目的は、実装部品を把持した保持部材を主構造体である所のメインシャーシに組み付ける際に。リード線を挟み込んでしまい断線してしまうのを防止するために視認性を向上させることである。
【０００８】
本出願に係る第２の発明の目的は、前記実装部品を把持する保持部材の材質を光透過性の材質で形成し、その一部を外観側へ露出せしめ、かつ前記光透過性部材の直下またはその近傍に発光体を配置し、前記把持部材の一部または全部および露出部を導光部として使用することにより、別段導光部材を設けることなく、撮影者に種々の情報を伝える発光部を構成することで組立作業性の向上と部品点数削減によるコストダウンを行なうことである。
【課題を解決するための手段】
【０００９】
本発明の電気機器およびカメラは、以下（１）〜（３）の構成を備えることにより、上述の目的を達成するものである。
【００１０】
（１）電気的接続のためにリード線を固着された電気素子を、その直下または近傍に配置された実装基板上のコネクタに接続された状態で、該電気素子を把持する把持部材をコネクタを覆うように配置する電気素子固着状態において、前記電気素子を把持する把持部材を透明部材で形成したことを特徴とする電気機器。
【００１１】
（２）前記（１）記載の電気機器において、前記電気素子はスピーカーであることを特徴とする電気機器。
【００１２】
（３）電気的接続のためにリード線を固着された電気素子をその直下または近傍に配置された実装基板上のコネクタに接続された状態で、該電気素子を把持する把持部材をコネクタを覆うように配置する電気素子固着状態において、前記電気素子を把持する把持部材を光透過性部材で形成し、その一部を外観側へ露出せしめ、かつ前記光透過性部材の直下またはその近傍に発光体を配置し、前記把持部材の一部または全部および露出部を導光部として使用することを特徴とするカメラ。
【発明の効果】
【００１３】
本発明によれば、電気的接続のためにリード線を固着された電気素子を、その直下または近傍に配置された実装基板上のコネクタに接続された状態で、該電気素子を把持する把持部材をコネクタを覆うように配置する電気素子固着状態において、前記電気素子を把持する把持部材を透明部材で形成したことにより、組み立て作業中に誤ってリード線を挟み込んでしまっても、他の作業者が目視により確認することができるようになる。また、素子の接着忘れや熱による変形等の問題点の発見も容易になる。
【００１４】
更に、電気的接続のためにリード線を固着された電気素子をその直下または近傍に配置された実装基板上のコネクタに接続された状態で、該電気素子を把持する把持部材をコネクタを覆うように配置する電気素子固着状態において、前記電気素子を把持する把持部材を透明部材で形成し、その一部を外観側へ露出せしめ、かつ前記透明部材の直下またはその近傍に発光体を配置し、前記把持部材の一部または全部および露出部を導光部として使用することにより、別段導光用部品を設けなくても、電気素子を把持する部品を利用して発光体の光を導くことができるため、部品点数を削減でき、組み立て工数を短縮することができるため、コストダウンを達成することができる。
【発明を実施するための最良の形態】
【００１５】
以下に、本発明を実施するための最良の形態を、実施例に基づいて説明する。
【実施例１】
【００１６】
図１から３は本発明の第１の実施例に係る図である。図１は本発明の第１の実施例に係る部品配置斜視図、２はカメラの外観背面図、３はスピーカー周りの断面図である。
【００１７】
同図において同じ番号を付記したものは同じ部材を表す。
【００１８】
同図において、１はカメラの種々の音を発生させるための実装素子である所のスピーカー。２は前記スピーカー１を両面テープまたは接着剤にて固着された実装把持部材である所のスピーカーホルダ。３はカメラの種々の部品およびユニットが取り付く主構造体であるメインシャーシ。
【００１９】
前記スピーカーホルダ２はビス４により前記メインシャーシ３にビス締め固着されている。５はカメラの中央処理装置である所のＣＰＵと電気的に接続されるフレキシブル配線基板（以下フレキと称する）。
【００２０】
前記フレキ５上にはスイッチ素子６や発光素子７及びコネクタ８ａが半田付けされている。９はリード線であり前記スピーカー１に半田付けされており、更に先端にコネクタ８ｂが固着されている。
【００２１】
前記コネクタ８ａおよびコネクタ８ｂは雄雌関係になっており不図示のストッパ機構によりお互いが着脱自在に構成されている。２１はカメラの種々の情報を表示するための表示器である所のＬＣＤパネル。
【００２２】
２２は被写体の撮影範囲を確認するためのファインダ。２３はカメラの撮影動作を指示するための２段スイッチである所のレリーズ釦。２４はカメラの外観を構成するカバーでスピーカー上部に貫通穴２４ａが開けられ空気の振動を音として外部に放出している。
【００２３】
上記構成においてスピーカーホルダ２を透明部材で形成することにより、ビス４でメインシャーシ３にスピーカーホルダ２に固着するとき、または固着した後で、リード線９を挟み込んでいるかどうかを目視により判断することができる。これによりリード線が断線してカメラ全体を組み上げた後でスピーカーの音が鳴らないという問題を回避することができる。
【実施例２】
【００２４】
図３において本発明の第２の実施例の説明を行なう。７は発光素子であるＬＥＤである。該発光素子７はランプやストロボパネルでも本発明の実施態様に変更は無い。２は前記実施例１で記載したスピーカーホルダであり２ａはカバー２４から外部へ突出または露出しており、この部分が導光部となっている。２ａの外観部はマット処理を施してあり、光を拡散できるようになっている。
【００２５】
発光素子７からの光は前記導光部２ａを通して拡散され、カメラの使用者に視認できるようになっている。
【００２６】
上記構成により、通常別段の導光部材を設ける必要が無くなり部品点数および組み立て工数の削減が可能となる。
【図面の簡単な説明】
【００２７】
【図１】本発明の第１の実施例に係る部品配置斜視図
【図２】本発明の第１の実施例に係るカメラの外観背面図
【図３】本発明の第１の実施例および第２の実施例に係るスピーカー周りの断面図
【符号の説明】
【００２８】
１  スピーカー（実装部品）
２  スピーカーホルダ
２ａ  導光部
３  メインシャーシ
４  ビス
５  フレキシブル配線基板
６  スイッチ素子
７  発光素子
８、８ａ、８ｂ  コネクタ
９  リード線
２１  ＬＣＤパネル
２２  ファインダ
２３  レリーズ釦
２４  カバー
２４ａ  貫通穴
【図１】
2007201594.tif 000003
【図２】
2007201594.tif 000004
【図３】
2007201594.tif 000005